(57)【特許請求の範囲】
【請求項１】
流体内の浮遊物に磁性体と凝集剤を投入して凝集させた磁性を有するフロックを遠心力と磁気力で回収するサイクロン装置であって、
内部に流入させた前記フロックを含む流体を螺旋状に回転させる逆円錐台形状の外殻と、
前記外殻の中央部に上方へ抜けるように配置された円筒部と、
前記外殻の内側かつ前記円筒部の下部を囲うように設置された皿状の内殻と、
前記外殻の外部側面に配置された磁石と、を有し、
前記円筒部と前記内殻の間の流体は、前記円筒部内に発生させた上昇流にのせて排出し、前記磁石により前記外殻と前記内殻の間に流れを誘導したフロックは、前記外殻の下端から排出する、
ことを特徴とする凝集サイクロン装置。
【請求項２】
前記円筒部は、複数の固定部材を間欠的に配置することで前記内殻と連結される、
ことを特徴とする請求項１に記載の凝集サイクロン装置。
【請求項３】
前記磁石は、水平方向の磁気力を抑制するための磁気シールドが取り付けられる、
ことを特徴とする請求項１又は２に記載の凝集サイクロン装置。
【請求項４】
前記磁石は、螺旋状の流れに沿ってフロックが誘導されるように配置される、
ことを特徴とする請求項１乃至３の何れか一に記載の凝集サイクロン装置。
【請求項５】
請求項１乃至４の何れか一に記載の凝集サイクロン装置を用いてバラスト水を浄化するシステムであって、
海洋を浮遊する大型のプラスチックを回収機構で回収し、前記回収機構で回収されなかったマイクロプラスチックを前記凝集サイクロン装置で回収する、
ことを特徴とする海洋プラスチック除去システム。
【請求項６】
海洋を浮遊する大型のプラスチックをスリット機構で破壊して前記回収機構で回収する、
ことを特徴とする請求項５に記載の海洋プラスチック除去システム。
【請求項７】
請求項５又は６に記載のシステムを搭載した、
ことを特徴とする船舶。
【請求項８】
請求項７に記載の船舶が、基地局から集められた海域交通情報、衛星から収集された海洋プラスチック汚染情報、当初計画されていた航路情報、気象情報、海流情報、及び運航経路の地理的情報をもとに生成された計画航路情報を計画航路情報センターから受信し、その計画航路情報に基づき運航される、
ことを特徴とする運航方法。
【発明の詳細な説明】
【技術分野】
【０００１】
本発明は、大型プラスチックを回収した後のバラスト水からマイクロプラスチックを遠心力と磁気力で除去する凝集サイクロン装置、その凝集サイクロン装置を用いてバラスト水を浄化する海洋プラスチック除去システム、またそのシステムを搭載した船舶、さらにその船舶の運航方法に関する。
【背景技術】
【０００２】
海洋に廃棄されたプラスチックは、世界的な海洋汚染問題となっている。海洋中のプラスチックの発生原因は、洗濯機から下水を通じて海に排出されるマイクロプラスチック、タイヤの走行中に生じる摩耗による粉塵、都市の粉塵などが約９０％といわれている。その他のプラスチックも紫外線や流体力等で細かく分解され、大きさが数十ミクロンから数ミリメートルの大きさのマイクロプラスチックとなる。海洋に漂流するプラスチックやマイクロプラスチックは、魚等の水生生物や海洋生物が間違って餌として体内に取り入れ、それによって死亡することが報告されている。
【０００３】
さらに、マイクロプラスチックには、有害な物質が付着している場合もあり、該マイクロプラスチックを内部に含む魚等を食べることで、人類の健康に対しても、甚大な影響を及ぼすことが懸念されている。そこで、海洋に浮遊するプラスチックやマイクロプラスチックを除去する方法が望まれている。
【０００４】
本技術分野の背景技術として、特許文献１から特許文献４がある。特許文献１には、サイクロンに侵入する流体の流れに対抗した位置に電磁石を置くことで、磁性を有するフロックを引き付けるサイクロン式の凝集サイクロン装置が開示されている。特許文献２には、サイクロンにおいて、二重筒構造にすることによって、上昇気流にのって、粗い塵埃が上昇を妨げる構造が開示されている。特許文献３には、バラスト水処理システムにおいて、水質検査を行い、その検査結果がバラスト水の排出規制値を満足しない場合は、再度、バラスト水処理を行う方式が開示されている。特許文献４には、航路選択にあたり、経済性を維持しつつ、船舶同志の見合い関係の発生を低減する計画航路の生成方法が開示されている。
【先行技術文献】
【特許文献】
【０００５】
【特許文献１】特開２０１７−１７６９０６号公報
【特許文献２】特許第３５６９９１５号公報
【特許文献３】特許第５９４５３０９号公報
【特許文献４】特開２０１８−０７３０７４号公報
【発明の概要】
【発明が解決しようとする課題】
【０００６】
特許文献１では、原水の中の浮遊物質をマグネタイト等の磁性体と一緒に凝集して、フロックをつくり、該フロックを含む流体を、液体サイクロンで、水とフロックを遠心力と磁気力で分離している。しかし、本方法では、流体の流れ方向に対向して、電磁石が配置されているため、最大磁気力を示す極部に向かってフロックが突入して、フロックが電磁石に磁気力でサイクロンの外壁に固着されることが起こる。そのため、電磁石をオフにして、電流を流さないことで磁気力が発生しない状態をつくり、その時には、フロックがサイクロンの外壁から離れ、流れにのって移動し、下流出口から排出されるという装置であった。この装置では、固着されたフロックに、磁気力と直交方向に流体力が働き、フロックが壊れるという問題があった。また、上流出口の下部出口周辺は、流速が早いため、乱流エネルギーが高く、下部出口周辺でフロックが壊れてしまうという問題もあった。
【０００７】
特許文献２では、粉塵が上昇気流にのって上昇することを妨げるために、二重の筒を有するサイクロンが開示されているが、上昇気流でフロックが破壊されるという問題があった。
【０００８】
特許文献３では、バラスト水浄化システムとして、水質モニターをしながら、バラスト水を凝集サイクロンで処理していた。しかし、プラスチックの除去や海洋汚染問題の解決について考慮されていなかった。
【０００９】
特許文献４では、特定の船舶の通過海域における海流の影響が加味された直近の複数の他の船舶の航路情報を入手して蓄積し、その航路情報によって、効率的な計画航路情報を生成していた。しかし、廃棄されたプラスチックの海洋汚染について考慮されていなかった。
【００１０】
そこで、本発明は、マグネタイトなどの磁性を有する物質と、生物プランクトンやマイクロプラスチック等の流体内に浮遊している物質を凝集したフロックを遠心力と磁気力で回収する際に、フロックを破壊しない低コストで小型な回収装置を提供することを目的とする。
【００１１】
また、海洋などに浮遊するプラスチックを任意の大きさのメッシュフィルターで構成する回収機構で回収する。回収機構で回収できない、大きさが数ミリメートル以下のマイクロプラスチックは、凝集サイクロン装置で回収する。なお、バラスト水取込口近傍にスリット機構を設け、スリットでプラスチックをせん断することで、バラスト水が流れるパイプ内でのつまりを防止する。さらに、衛星情報を活用して、プラスチックが大量に浮遊している海域を発見して、当初予定していた航路と現在の船舶の位置を考慮して、大量の海洋プラスチックを短時間で回収できる最適な航路を決め、プラスチックが大量にある海域で海洋プラスチックを回収する。
【課題を解決するための手段】
【００１２】
上記の課題を解決するために、本発明である凝集サイクロン装置は、内部に流入させた磁性体を有するフロックを含む流体を螺旋状に回転させる逆円錐台形状の外殻と、前記外殻の中央部に上方へ抜けるように配置された円筒部と、前記外殻の内側かつ前記円筒部の下部を囲うように設置された皿状の内殻と、前記外殻の外部側面に配置された磁石と、を有し、前記円筒部と前記内殻の間の流体は、前記円筒部内に発生させた上昇流にのせて排出し、前記磁石により前記外殻と前記内殻の間に流れを誘導したフロックは、前記外殻の下端から排出する、ことを特徴とする。
【００１３】
前記凝集サイクロン装置において、前記円筒部は、複数の固定部材を間欠的に配置することで前記内殻と連結される、ことを特徴とする。
【００１４】
前記凝集サイクロン装置において、前記磁石は、水平方向の磁気力を抑制するための磁気シールドが取り付けられる、ことを特徴とする。
【００１５】
前記凝集サイクロン装置において、前記磁石は、螺旋状の流れに沿ってフロックが誘導されるように配置される、ことを特徴とする。
【００１６】
また、本発明である海洋プラスチック除去システムは、前記凝集サイクロン装置を用いてバラスト水を浄化するシステムであって、海洋を浮遊する大型のプラスチックを回収機構で回収し、前記回収機構で回収されなかったマイクロプラスチックを前記凝集サイクロン装置で回収する、ことを特徴とする。
【００１７】
前記海洋プラスチック除去システムにおいて、海洋を浮遊する大型のプラスチックをスリット機構で破壊して前記回収機構で回収する、ことを特徴とする。
【００１８】
また、本発明である船舶は、前記システムを搭載した、ことを特徴とする。
【００１９】
また、本発明である運航方法は、前記船舶が、基地局から集められた海域交通情報、衛星から収集された海洋プラスチック汚染情報、当初計画されていた航路情報、気象情報、海流情報、及び運航経路の地理的情報をもとに生成された計画航路情報を計画航路情報センターから受信し、その計画航路情報に基づき運航される、ことを特徴とする。
【発明の効果】
【００２０】
本発明では、マグネタイトなどの磁性を有する物質と、生物プランクトンやマイクロプラスチック等の流体内に浮遊している物質を凝集したフロックを遠心力と磁気力で回収する際に、フロックを破壊しない低コストで小型な回収装置を提供することができる。
【００２１】
また、海洋などに浮遊するプラスチックを回収機構で回収する場合や、海洋プラスチックを細断するためのスリット機構を設け、前記海洋プラスチックを細断して、その後段の回収機構で回収することも可能である。スリット機構では破断できないマイクロプラスチックも凝集サイクロン装置で回収することで、海洋汚染問題を解決できるという効果がある。また、衛星情報を活用して、プラスチックが大量に浮遊している海域に向かって航路を決め、プラスチックが大量にある海域で海洋プラスチックを回収することで、海洋汚染の除去を効率的にできる。
【図面の簡単な説明】
【００２２】
【図１】本発明の凝集サイクロン装置を側面から見た構成図の一例である。
【図２】本発明の凝集サイクロン装置の斜視図で流体の流れを示す図である。
【図３】本発明の凝集サイクロン装置の内部の構成図の一例である。
【図４】本発明の凝集サイクロン装置の内部の分解図である。
【図５】本発明の凝集サイクロン装置を利用した海洋プラスチック除去システムの一例である。
【図６】本発明の凝集サイクロン装置を利用した海洋プラスチック除去システムを搭載した船舶の運航方法の一例である。
【図７】本発明の凝集サイクロン装置を船舶に搭載したときの数ミリメートル以上の大型のプラスチックの回収機構の一例である。
【図８】本発明の凝集サイクロン装置を利用した海洋プラスチック除去システムの一例である。
【図９】本発明の凝集サイクロン装置を利用した海洋プラスチック除去システムの運用方法の一例である。
【発明を実施するための形態】
【００２３】
以下に、本発明の実施形態について図面を参照して詳細に説明する。なお、同一機能を有するものは同一符号を付け、その繰り返しの説明は省略する場合がある。
【実施例１】
【００２４】
貨物船などの船舶は、空荷で出港するときに海水や淡水をバラスト水としてタンクに取り込み、貨物を積載する港でバラスト水を船外に排出することで、重量のバランスを取っている。水中に海洋プラスチックやプランクトンなどの海洋生物が含まれていると、バラスト水を排出する際に汚染問題が発生するので、それらを除去することが望ましい。
【００２５】
バラスト水を浄化するにあたり、海洋に漂う大型のプラスチックは、パイプ内で詰まらないようにスリット機構で小さく細断した上で、メッシュフィルターを用いた回収機構で回収し、それらで回収できない数ミクロンから数ミリ程度のマイクロプラスチックは、マグネタイトなどの磁性紛と凝集させ、磁性を有するフロックを作り、遠心力と磁気力で回収する。
【００２６】
一般のサイクロンでは、前記フロックが乱流エネルギーで破壊されてしまうため、前記乱流エネルギーで破壊されないように、前記フロックは、低流速でサイクロン内部を周回させる。低速では、遠心力が小さいため、前記フロックが前記サイクロンの外殻周辺に移動しにくい。
【００２７】
そこで、磁石をサイクロンの外部の近傍に配置して、前記フロックを外殻の近傍に磁気力で引き寄せる。さらに、サイクロン内部には、上昇流の発生箇所周辺の乱流エネルギーが高い領域から前記フロックを保護するために、内殻を設けることで、前記フロックは前記上昇気流の影響を受なくなり、破壊されることなく、回収される。
【００２８】
図１は、本発明の凝集サイクロン装置の実施例を示す。凝集サイクロン装置は、テーパ状に先細りした逆円錐台形状の中空容器である磁気サイクロン９の外殻１と、前記外殻１の中央部に上方へ抜けるように縦向きで配置された円筒部３と、外殻１の内部かつ円筒部３の下方に設置された内殻４と、を有する。前記円筒部３は、下部流入口３ａと上部流出口３ｂを有し、前記の下部流入口３ａに、柱状の固定部材３ｃによって逆円錐台の皿状の内殻４が固定され、下部を囲うように側方から下面まで覆われている。
【００２９】
フロック１１ａを含む流体１０は、外殻１の側面上部に設けた流入口７から前記磁気サイクロン９内に前記円筒部３に垂直方向に流入する。前記流体１０は、フロック１１ａの流れ１０ａと水等の流れ１０ｂを含んでいる。流体１０は、外殻１内かつ円筒部３の周りを螺旋状に回転し、外殻１の形状に合わせて徐々に径を小さくしながら下方へ移動する。前記フロック１１ａも、流れ１０ａに乗って、外殻１内かつ円筒部３の周りを螺旋状に回転するように流れる。
【００３０】
内殻４の側面は、外殻１の逆円錐台の傾きと同等に傾斜させ、外殻１と内殻４の間に隙間を確保する。前記フロック１１ａは、遠心力と永久磁石等の磁石５ａによる磁気力により、前記外殻１と前記内殻４の間に入り、重力によって、外殻１の下端に設けられた円筒部２の下部流出口２ａからフロック１１ｂとして排出される。円筒部３と内殻４の間に入った水など遠心力及び磁気力の影響が弱いものについては、水等の流れ１０ｂが前記内殻４の底面４ａから円筒部３の下部流入口３ａに向かい、前記上部流出口３ｂへ向かって発生する上昇流８にのって排出される。
【００３１】
磁石５ａでフロック１１ａを外殻１に留めてしまうと流れ１０ａに逆らってフロック１１ａが破壊されるおそれがあり、また、円筒部３に吸い込まれる流れ１０ｂによってもフロック１１ａが破壊されるおそれがあるので、フロック１１ａの流れ１０ａを内殻４より外側の外殻１寄りに誘導すれば良い。
【００３２】
前記外殻１の外部の側面中間部の近傍には、磁石５ａがフロック１１ａの流れ１０ａと垂直方向に配置されている。磁石５ａは、複数（例えば、２個や４個など）を所定の間隔を置いて配置しても良い。前記磁石５ａの側面には、水平方向に磁気力が働かないように被覆した磁気シールド５ｂが配置されている。
【００３３】
なお、前記磁石５ａの水平方向への磁気力が、円筒部２の下部流出口２ａに向かうフロック１１ａの流れ１０ａを阻害しなければ、磁気シールド５ｂは、なくてもかまわない。磁石５ａは、上側の磁力でフロック１１ａを誘導すれば良く、磁気サイクロン９は下方が先細りしているため、縦に配置された磁石５ａの下側における磁気の影響は弱くなり、円筒部２の下部流出口２ａに向かうフロック１１ａの流れ１０ａは阻害されない。
【００３４】
図２は、本発明の凝集サイクロン装置の斜視図である。マイクロプラスチックやプランクトン等と、マグネタイト等の磁性体とを凝集したフロックを含む流体２０が、磁気サイクロン９の逆円錐台の中空形状の外殻１の内側でかつ、円筒部３の周りを流れる。前記フロックは、磁石５ａの磁気力で前記外殻１と逆円錐台の皿状の内殻４の間に流れ、円筒部２の下部流出口２ａに向かって流れる。
【００３５】
フロック等の浮遊物を含まない水等は、前記内殻４と前記円筒部３の間に流れ込み、逆円錐台状の底面４ａの周辺から前記円筒部３の下部流入口３ａから上昇し、上部流出口３ｂから排出される。前記下部流出口３ａと前記内殻４の底面４ａは、柱状の固定部材３ｃで固定されている。柱状の固定部材３ｃ間には、隙間があるので、上昇流２０ａを発生させることができる。
【００３６】
図３は、本発明の凝集サイクロン装置における磁気サイクロン９の内部の中央部に配置された円筒部３と逆円錐台状の内殻４の組立図である。前記円筒部３は、縦筒状であり、上部流出口３ｂと下部流入口３ａがあり、前記下部流入口３ａと内殻４の底面４ａとは、内殻４内に流入した水等を円筒部３内へ送り込む隙間を確保するために、複数間欠的に配置された柱状の固定部材３ｃで連結される。
【００３７】
図４は、本発明の凝集サイクロン装置における磁気サイクロン９の内部の中央部に配置された円筒部３と逆円錐台状の内殻４の分解図である。円筒部３の下部には、柱状の固定部材３ｃがつながっている。前記内殻４は、上部は開放されており、テーパ状に先細って、下部は、円盤状の底面４でつながっている。
【００３８】
前記柱状の固定部材３ｃと底面４ａをつなげることで、前記流体のうち、フロック等の磁気力で吸引された浮遊物や、水等より比重の大きな浮遊物は、前記円筒部３の内部へは流れ込まず、それ以外の液体が流れ込む。なお、前記円筒部３の下部の端面の近傍に液体の通過できる窓等を開けることでも、前記柱状の固定部材３ｃと前記底面４ａで作る通路と同じ効果が期待できる。
【００３９】
図５に、本発明の凝集サイクロン装置の別の実施例を示す。磁気サイクロン９では、外殻１の上部まで傾斜しているので、流体に斜め上に向かう力が働き、効率が落ちるおそれがある。磁気サイクロン２９は、上部は円筒状の外殻２１ａと、下部は逆円錐台形状の外殻２１ｂで成り立っている。前記円筒状の外殻２１ａ及び前記逆円錐台形状の外殻２１ｂの中央部に円筒部２３が配置されている。前記円筒部２３には、上部流出口２３ｂと下部流入口２３ａがある。
【００４０】
前記下部流入口２３ａは、逆円錐台状の内殻２４の底面２４ａと柱状の固定部材２３ｃで固定されている。前記内殻２４の底面２４ａにおいて下部流入口２３ａから円筒部２３の内部へ上部流出口２３ｂに向かって上昇流２８が発生する。流入口２７から磁気サイクロン２９に引き込まれた流体３０のうち、水等の流れ３０ｂは、前記上部流出口２３ｂに向かって上昇流２８にのって排出される。
【００４１】
前記逆円錐台形状の外殻２１ｂの外部の側面の近傍には、永久磁石等の磁石２５ａ、２６ａをフロック３１ａの流れ３０ａと垂直方向に配置されている。磁石２５ａ、２６ａは、フロック３１ａが螺旋状の流れ３０ａに沿って移動するように、配置や磁力の大きさを調整しても良い。例えば、磁石２５ａの位置を高くして磁力の大きいものを使用した方が、効率が良くなる。
【００４２】
前記磁石２５ａ、２６ａの側面は、水平方向に磁気力が働かないように抑制する磁気シールド２５ｂ、２６ｂが取り付けられる。なお、前記磁石２５ａの水平方向への磁気力が、円筒部２２の下部流出口２２ａに向うフロック３１ａの流れ３０ａを阻害しなければ、磁気シールド２５ｂ、２６ｂは、なくてもかまわない。
【００４３】
前記磁石２５ａ、２６ａの磁気力と流体力と遠心力で、前記フロック３１ａの流れ３０ａは、前記外殻２１ｂと内殻２４の間の流れ３１ｂとなり、前記上昇流２８の影響を受けないで、重力の影響で下部流出口２２ａに向かっていく。
【００４４】
図６に、本発明の凝集サイクロン装置を用いた海洋プラスチック除去システムの構成図の実施例を示す。まず、海洋プラスチック除去システムにおいて、図示してはいないが、大型のプラスチックを細断するための刃を縦、横又は斜めに間欠的に配置してスリット状にしたスリット機構をバラスト水取込口に配置しても良い。海洋を浮遊する大型のプラスチックをスリット機構で破壊して回収し、前記スリット機構で破壊できないマイクロプラスチックを前記凝集サイクロン装置（凝集磁気分離システム）で回収する。
【００４５】
マイクロプラスチック等の浮遊物やプランクトン等の水生生物を含む海水や淡水等の流体５８が、凝集磁気分離システム５５に流入し、凝集剤貯留槽４０から適量の凝集剤と、マグネタイト溶液貯留槽４１から適量のマグネタイトが投入され、急速攪拌装置４２内の攪拌器４３で攪拌され、マイクロフロックを作る。無機凝集剤等の凝集剤とマグネタイトの投入順番は自由で、同時に投入してもよい。
【００４６】
その後、ポリマー貯留槽４６からポリマーなどの有機凝集剤を投入して、緩速攪拌装置４４内の攪拌器４５で攪拌され、数百ミクロンから数ミリの大きさのフロック５９を作る。磁気サイクロン５０では、遠心力と磁気力によって、前記フロック５９を含む流体５２と、フロック５９を含まない流体５１に分離される。
【００４７】
図７に、本発明の凝集サイクロン装置を船舶に搭載したときの数ミリメートル以上の大型のプラスチックの回収機構の実施例を示す。数ミリメートル以上の大きさのプラスチック７７を含む海水等の流体７３は、バラストポンプ７２で吸引されて、任意のメッシュサイズのフィルタで作られるエンドレスベルトフィルタ７０を通過させられる。
【００４８】
任意のメッシュサイズのフィルタで作られるエンドレスベルトフィルタ７０が、ローラ７１ａとローラ７１ｂの間を連続的に回転７８する。そのローラ７１ａとローラ７１ｂの間を、前記プラスチックを含む流体７３が通過する際に、エンドレスベルトフィルタ７０が、前記プラスチック７７を保持し、移動させる。プラスチック７７は、該エンドレスベルトフィルタ７０に圧接しているスクレーパ７５で分離させられ、フロック回収槽７６に入れられる。前記フロック回収槽７６が熱源を持っている場合、フロックから水分を蒸発させることもある。
【００４９】
また、前記数ミリメートル以上の大きさのプラスチック７７を除去された流体７３は、パイプ７４に流入する。流体７３は、マイクロプラスチックやプランクトン等の微細の浮遊物を含んでおり、前述の凝集磁気分離システム５５に送られる。
【００５０】
図８に、本発明の凝集サイクロン装置を利用した海洋プラスチック除去システムの実施例を示す。海洋プラスチックやマイクロプラスチックを含むバラスト水を浄化する海洋プラスチック除去システム１００は、船舶１１０内に搭載され、海水又は淡水をポンプ１０２で取り込むが、大型のプラスチックが入ることを防ぐことでポンプ１０２を保護している。
【００５１】
海洋プラスチック除去システム１００は、大型のプラスチックなどを破断するためのスリットを備えたスリット機構部１０１と、海水または淡水を給水及び排水するポンプ１０２と、破断されたプラスチックなどの数十ミリメートル以上の大きな浮遊物を回収する回収機構部１０３と、回収された浮遊物を一時的に保存する回収槽１０４と、マイクロプラスチックやプランクトンなどの数十ミリメートル未満の微小な浮遊物を回収するための凝集サイクロン装置１０５と、マイクロプラスチックなどを含むフロックを除去して一時的に保存する回収槽１０６と、コンピュータ等で各装置を制御し全体を管理する制御部１０８からなっている。
【００５２】
なお、前記スリット機構１０１は、大型のプラスチックを細断し、後段のパイプ内で詰まることを防止するために設置しているが、そのおそれが無ければ設置しなくても良い。また、凝集サイクロン装置１０５は、セラミックフィルタ等のフィルタとオゾンや紫外線を組み合わせた機構であってもかまわない。処理水は、バラストタンク１０７に一時的に搭載される。
【００５３】
制御部１０８は、各装置から情報を取得し、必要に応じて情報を一時的又は長期的に記憶し、それらの情報を演算することにより各装置の動作条件などを算出し、算出結果を出力するとともに各装置に動作信号を送信する。
【００５４】
図９に、本発明の凝集サイクロン装置を利用した海洋プラスチック除去システムの運用方法の実施例を示す。海洋プラスチック除去システムの運用方法の例として、船舶の運航方法がある。そのシステムを管理する計画航路情報センター２１０では、海域交通情報取得手段２０２と、海洋プラスチック汚染情報収集手段２０３と、地理的情報収集手段２０４と、計画航路生成手段２０５と、計画航路要求受信手段２０１と、計画航路提供手段２０６を備えている。
【００５５】
計画航路要求受信手段２０１は、船舶２２０から通信手段を介して計画航路の要求信号を受信する。要求信号を受けて、海域交通情報取得手段２０２では、図示してはいないが、基地局から集められた船舶自動識別装置の情報等を収集する。海洋プラスチック汚染情報収集手段２０３では、衛星２００によって収集された海域における海洋プラスチック等による海洋汚染状況の情報を収集する。地理的情報取得手段２０４では、計画航路要求信号に含まれる自船の位置、目的港、及び両者間の海域など運航経路の地理的情報を取得する。計画航路生成手段２０５では、上記の海域交通情報取得手段２０２と、海洋プラスチック汚染情報収集手段２０３と、地理的情報収集手段２０４で収集された情報をもとに、計画航路を生成する。
【００５６】
例えば、衛星による画像情報を画像処理して、海洋プラスチックの濃度を計算し、当初計画されていた航路情報、海流の速度や温度などの海流情報、天候などの気象情報を考慮し、海洋プラスチックを効率よく大量に、短時間で回収されるような計画航路が生成される。この計画航路を生成する際、バラスト水の搭載の有無、バラスト水の搭載量、海洋プラスチック等海洋汚染除去作業を行うことができるか否か、海洋プラスチック除去作業の緊急性を考慮した計画航路を生成する。計画航路提供手段２０６は、計画航路を要求した船舶２２０に対して通信手段を介して生成した計画航路を送信する。
【００５７】
船舶２２０には、計画航路要求送信手段２２１と計画航路受信手段２２２を有し、その結果を反映して操舵する操船手段２２３を有する。計画航路情報センター２１０に送信手段を介して計画航路を要求し、計画航路情報センター２１０から受信手段を介して取得した計画航路に基づき、船舶２２０が運航される。海洋プラスチック等海洋汚染除去作業海洋汚染除去作業を行った結果（除去した海域、除去した海洋プラスチック等海洋汚染物質の量等）を計画航路情報センター２１０に送信する。
【００５８】
該計画航路情報センター２１０は、本情報を国際海事機関（ＩＭＯ）等の公的機関や環境保護団体に送信する。国際海事機関などの国際機関や環境保護団体では、本情報を公開するとともに、海洋汚染対策の戦略策定を行う。その結果、さらなる除去が必要な場合は、該海域付近を航行予定の船舶に海洋汚染対策への協力を求める。また、回収した海洋プラスチック等の海洋汚染物質は、産業廃棄物として寄港地の政府、自治体が買い取ることで、該海洋プラスチック除去システムを搭載する船舶は、石油などの有価物の運搬以外に海洋掃除作業という仕事を受持つ。
【００５９】
本発明では、マグネタイトなどの磁性を有する物質と、生物プランクトンやマイクロプラスチック等の流体内に浮遊している物質を凝集したフロックを遠心力と磁気力で回収する際に、フロックを破壊しない低コストで小型な回収装置を提供することができる。
【００６０】
また、海洋などに浮遊するプラスチックを回収機構で回収する場合や、海洋プラスチックを細断するためのスリット機構を設け、前記海洋プラスチックを細断して、その後段の回収機構で回収することも可能である。スリット機構では破断できないマイクロプラスチックも凝集サイクロン装置で回収することで、海洋汚染問題を解決できるという効果がある。また、衛星情報を活用して、プラスチックが大量に浮遊している海域に向かって航路を決め、プラスチックが大量にある海域で海洋プラスチックを回収することで、海洋汚染の除去を効率的にできる。
【００６１】
以上、本発明の実施例を述べたが、これらに限定されるものではない。例えば、石油生産時に発生する硫化水素などの有害な気体を発生する随伴水の処理において外気と接触させずに処理することができる。
【符号の説明】
【００６２】
１、２１ａ、２１ｂ：外殻
２、２２：円筒部
２ａ、２２ａ：下部流出口
３、２３：円筒部
３ａ、２３ａ：下部流入口
３ｂ、２３ｂ：上部流出口
３ｃ、２３ｃ：固定部材
４、２４：内殻
４ａ、２４ａ：底面
５ａ、２５ａ、２６ａ：磁石
５ｂ、２５ｂ、２６ｂ：磁気シールド
７、２７：流入口
８、２０ａ、２８：上昇流
９、２９、５０：磁気サイクロン
１０、２０、３０：流体
１０ａ、１０ｂ、３０ａ、３０ｂ、３１ｂ：流れ
１１ａ、１１ｂ、３１ａ：フロック
４０：凝集剤貯留槽
４１：マグネタイト溶液貯留槽
４２：急速攪拌装置
４４：緩速攪拌装置
４３、４５：攪拌器
４６：ポリマー貯留槽
５１、５２：流体
５５：凝集磁気分離システム
５８、７３：流体
５９：フロック
７０：エンドレスベルトフィルタ
７１ａ、７１ｂ：ローラ
７２：バラストポンプ
７４：パイプ
７５：スクレーパ
７６：フロック回収槽
７７：プラスチック
７８：回転
１００：海洋プラスチック除去システム
１０１：スリット機構部
１０２：ポンプ
１０３：回収機構部
１０４、１０６：回収槽
１０５：凝集サイクロン機構
１０７：バラストタンク
１０８：制御部
１１０：船舶
２００：衛星
２０１：計画航路要求受信手段
２０２：海域交通情報収集手段
２０３：海洋プラスチック汚染情報収集手段
２０４：地理的情報収集手段
２０５：計画航路生成手段
２０６：計画航路提供手段
２１０：計画航路情報センター
２２０：船舶
２２１：計画航路要求送信手段
２２２：計画航路受信手段
２２３：操船手段
【要約】
【課題】従来の液体サイクロン装置は、フロックが破壊されやすいため、フロックの分離には使えなかった。また、海洋に漂うプラスチックやマイクロプラスチッも同時に除去できるバラスト水処理装置もなかった。さらに、海洋に漂うプラスチックやマイクロプラスチックによる汚染問題を解決する船舶とその航行方法もなかった。
【解決手段】壊れやすいフロックを含む流体をサイクロン方式で分離するために、磁性体を含むフロックを遠心力と磁気力でサイクロンの外殻近傍の流れに導き、内殻と外殻の間の流路に導き、下部流出くちから排出させる。フロックは内殻により、上昇流の影響を防ぐことで、フロックを確実に分離する。
【選択図】図１【図１】
0006948742.tif 000002
【図２】
0006948742.tif 000003
【図３】
0006948742.tif 000004
【図４】
0006948742.tif 000005
【図５】
0006948742.tif 000006
【図６】
0006948742.tif 000007
【図７】
0006948742.tif 000008
【図８】
0006948742.tif 000009
【図９】
0006948742.tif 000010